【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
１次アンビソニックス信号であり、０次及び１次の係数を有する入力信号の指向性を高める方法であって、
分析フィルタバンクにおいて前記入力信号にフィルタをかけるステップであって、前記１次アンビソニックス信号の周波数領域表現である４つの周波数領域チャネルが得られ、該周波数領域チャネルのうちの１つの第１周波数領域チャネルが０次係数を表し、残り３つの周波数領域チャネルが１次係数を表す、ステップと、
前記４つの周波数領域チャネルの音場解析を実行して、ソース方向及び拡散推定が得られるステップと、
フィルタにおいて、０次係数を有する前記第１周波数領域チャネルにフィルタをかけるステップであって、前記拡散推定が使用され、ダイレクトサウンド成分が得られるステップと、
高次アンビソニックス符号器において、少なくとも２である所定の次数を持ったアンビソニックスフォーマットで前記ダイレクトサウンド成分を符号化するステップであって、前記ソース方向が使用され、１次よりも高次のアンビソニックス係数を含む、前記所定の次数のアンビソニックスフォーマットにおける符号化されたダイレクトサウンドが得られるステップと、
前記所定の次数のアンビソニックスフォーマットにおける前記得られた符号化されたダイレクトサウンドから２次以上のアンビソニックス係数を選択するステップであって、１次及び０次の係数が除外されるステップと、
結合及び合成ユニットにおいて、前記符号化されたダイレクトサウンドから選択された前記２次以上のアンビソニックス係数を表す信号を前記入力信号と結合するステップであって、指向性が高められた少なくとも２次のエンハンスド・アンビソニックス信号が得られるステップと
を有する方法。
【請求項２】
前記符号化されたダイレクトサウンドから選択された前記２次以上のアンビソニックス係数を表す信号を前記入力信号と結合するステップは、
周波数領域結合器ユニットにおいて、前記４つの周波数領域チャネルのアンビソニックス信号を、前記符号化されたダイレクトサウンドから選択された前記２次以上のアンビソニックス係数の中から選択された周波数係数と結合し、少なくとも２次のアンビソニックス信号の周波数領域表現である信号が得られるステップと、
合成フィルタバンクにおいて前記得られた信号にフィルタをかけて、少なくとも２次の係数を有するエンハンスド・アンビソニックス信号の時間領域表現が得られるステップと
を有する、請求項１に記載の方法。
【請求項３】
前記符号化されたダイレクトサウンドから選択された前記２次以上のアンビソニックス係数を表す信号を前記入力信号と結合するステップは、
合成フィルタバンクにおいて、前記符号化されたダイレクトサウンドから選択された前記２次以上のアンビソニックス係数にフィルタをかけて、２次以上の係数を有するエンハンスメント高次アンビソニックス信号の時間領域表現が得られるステップと、
時間領域結合器において、前記入力信号を表すアンビソニックス係数を、２次以上の前記エンハンスメント高次アンビソニックス信号の時間領域表現と結合し、前記入力信号と比較して指向性が高められた少なくとも２次のエンハンスド・アンビソニックス信号の時間領域表現が得られるステップと
を有する、請求項１に記載の方法。
【請求項４】
前記所定の次数を持ったアンビソニックスフォーマットで前記ダイレクトサウンド成分を符号化するステップにおいて、前記高次アンビソニックス符号器はＢフォーマットを使用する、
請求項１乃至３のうちいずれか一項に記載の方法。
【請求項５】
前記所定の次数を持ったアンビソニックスフォーマットで前記ダイレクトサウンド成分を符号化するステップにおいて、前記高次アンビソニックス符号器は、Ｂフォーマット以外のアンビソニックスフォーマットを使用し、当該方法は、
前記結合するステップより前に、ＨＯＡフォーマット適応ユニットにおいて、前記Ｂフォーマット以外のアンビソニックスフォーマットに従って前記入力信号を再フォーマットし、前記入力信号の再フォーマットされたアンビソニックス係数が得られるステップを更に有し、
前記結合するステップにおいて、前記時間領域結合器は、前記入力信号の前記再フォーマットされたアンビソニックス係数を、２次以上の前記エンハンスメント高次アンビソニックス信号の時間領域表現と結合する、
請求項３に記載の方法。
【請求項６】
前記４つの周波数領域チャネルの音場解析を実行するステップは、
前記４つの周波数領域チャネルのアクティブインテンシティ解析を実行して、アクティブインテンシティを表す値が得られるステップと、
前記４つの周波数領域チャネルの拡散解析を実行して、前記拡散推定が得られるステップと、
前記アクティブインテンシティを表す値の到来方向解析を実行して、前記ソース方向が得られるステップと
を有する、請求項１乃至５のうちいずれか一項に記載の方法。
【請求項７】
前記少なくとも２次のエンハンスド・アンビソニックス信号を、より高次の又は異なったアンビソニックスフォーマットの更なるＨＯＡ入力信号とミキシングして、前記入力信号と前記更なるＨＯＡ入力信号との混合を含むＨＯＡ信号が得られるステップ
を更に有する請求項１乃至６のうちいずれか一項に記載の方法。
【請求項８】
前記エンハンスド・アンビソニックス信号は、３Ｄ実現のためのO=(Norder+1)2個の成分と、２Ｄ実現のためのO=(2Norder+1)個の成分とを有し、Norderは、前記高次アンビソニックス符号器の次数であり、
前記エンハンスド・アンビソニックス信号は、Cnm:[A00,A1-1,A10,A11,B2-2,B2-1,B20,B21,B22,…’]に従うCnm個の係数を有し、Aijは、前記入力信号の係数であり、Bijは、前記符号化されたダイレクトサウンドから選択された前記２次以上のアンビソニックス係数である、
請求項１乃至７のうちいずれか一項に記載の方法。
【請求項９】
１次アンビソニックス信号であり、０次及び１次の係数を有する入力信号の指向性を高める装置であって、
前記入力信号にフィルタをかけて、前記１次アンビソニックス信号の周波数領域表現である４つの周波数領域チャネルが得られ、該周波数領域チャネルのうちの１つの第１周波数領域チャネルが０次係数を表し、残り３つの周波数領域チャネルが１次係数を表す、分析フィルタバンクと、
前記４つの周波数領域チャネルの音場解析を実行して、ソース方向及び拡散推定が得られる音場解析ユニットと、
前記拡散推定が使用されて、０次係数を有する前記第１周波数領域チャネルにフィルタをかけ、ダイレクトサウンド成分が得られるフィルタと、
前記ソース方向が使用されて、少なくとも２である所定の次数を持ったアンビソニックスフォーマットで前記ダイレクトサウンド成分を符号化し、少なくとも０次、１次及び２次のアンビソニックス係数を含む、前記所定の次数のアンビソニックスフォーマットにおける符号化されたダイレクトサウンドが得られる、高次アンビソニックス符号器と、
前記所定の次数のアンビソニックスフォーマットにおける前記得られた符号化されたダイレクトサウンドから少なくとも２次のアンビソニックス係数を選択する選択器と、
前記符号化されたダイレクトサウンドから選択された前記少なくとも２次のアンビソニックス係数に従う時間領域信号を前記１次アンビソニックス信号のアンビソニックス係数と結合して、少なくとも２次のエンハンスド・アンビソニックス信号の時間領域表現が得られる結合及び合成ユニットと
を有する装置。
【請求項１０】
前記結合及び合成ユニットは、
前記４つの周波数領域チャネルのアンビソニックス信号を、前記符号化されたダイレクトサウンドからの２次以上の前記選択されたアンビソニックス係数の中から選択された周波数係数と結合し、少なくとも２次のアンビソニックス信号の周波数領域表現である信号が得られる周波数領域結合器ユニットと、
前記得られた信号にフィルタをかけて、少なくとも２次の係数を有するエンハンスド・アンビソニックス信号の時間領域表現が得られる合成フィルタバンクと
を有する、請求項９に記載の装置。
【請求項１１】
前記結合及び合成ユニットは、
前記符号化されたダイレクトサウンドからの２次以上の前記選択されたアンビソニックス係数にフィルタをかけて、２次以上の係数を有するエンハンスメント高次アンビソニックス信号の時間領域表現が得られる合成フィルタバンクと、
前記入力信号を表すアンビソニックス係数を、２次以上の前記エンハンスメント高次アンビソニックス信号の時間領域表現と結合し、前記入力信号と比較して指向性が高められた少なくとも２次のエンハンスド・アンビソニックス信号の時間領域表現が得られる時間領域結合器ユニットと
を有する、請求項９に記載の装置。
【請求項１２】
前記所定の次数を持ったアンビソニックスフォーマットで前記ダイレクトサウンド成分を符号化する前記高次アンビソニックス符号器は、Ｂフォーマットを使用する、
請求項９乃至１１のうちいずれか一項に記載の装置。
【請求項１３】
前記高次アンビソニックス符号器は、前記所定の次数を持ったアンビソニックスフォーマットで前記ダイレクトサウンド成分を符号化するときに、Ｂフォーマット以外のアンビソニックスフォーマットを使用し、当該装置は、
前記Ｂフォーマット以外のアンビソニックスフォーマットに従って前記入力信号を再フォーマットし、前記入力信号の再フォーマットされたアンビソニックス係数が得られるＨＯＡフォーマット適応ユニットを更に有し、
前記時間領域結合器ユニットは、前記入力信号の前記再フォーマットされたアンビソニックス係数を、２次以上の前記エンハンスメント高次アンビソニックス信号の時間領域表現と結合する、
請求項１１に記載の装置。
【請求項１４】
前記音場解析ユニットは、
前記４つの周波数領域チャネルのアクティブインテンシティ解析を実行して、アクティブインテンシティを表す値が得られるアクティブインテンシティ解析ブロックと、
前記４つの周波数領域チャネルの拡散解析を実行して、前記拡散推定が得られる拡散解析ブロックと、
前記アクティブインテンシティを表す値の到来方向解析を実行して、前記ソース方向が得られる到来方向解析ブロックと
を有する、請求項９乃至１３のうちいずれか一項に記載の装置。
【請求項１５】
前記少なくとも２次のエンハンスド・アンビソニックス信号を、より高次の又は異なったアンビソニックスフォーマットの他のＨＯＡ入力信号とミキシングして、前記入力信号と前記他のＨＯＡ入力信号との混合を含むＨＯＡ信号が得られるミキサユニット
を更に有する請求項９乃至１４のうちいずれか一項に記載の装置。